(57)【要約】【課題】白蟻等が建物内部へ侵入することを防止できる白蟻、黒蟻等の徘徊性害虫の防除装置を提供すること。【解決手段】建物の基礎等の垂直壁に設置する白蟻、黒蟻等の徘徊性害虫の防除装置であって、前記垂直壁に固定される表面が鏡面仕上げされた板状部と、前記板状部の下端に形成され、表面が鏡面仕上げされた湾曲部とから成るので、白蟻等が建物内部へ侵入することを防止できる。【選択図】図１
2009133098.tif 000002
【特許請求の範囲】
【請求項１】
建物の基礎等の垂直壁に設置する白蟻、黒蟻等の徘徊性害虫の防除装置であって、
前記垂直壁に固定される表面が鏡面仕上げされた板状部と、
前記板状部の下端に形成され、表面が鏡面仕上げされた湾曲部とから成ることを特徴とする白蟻、黒蟻等の徘徊性害虫の防除装置。
【請求項２】
前記湾曲部は、略Ｕ字状に形成されたことを特徴とする請求項１に記載の白蟻、黒蟻等の徘徊性害虫の防除装置。
【請求項３】
前記板状部は、円筒状に形成され、ジャッキ式束の周囲に形成されたことを特徴とする請求項１に記載の白蟻、黒蟻等の徘徊性害虫の防除装置。
【発明の詳細な説明】
【技術分野】
【０００１】
本発明は、白蟻等の徘徊性害虫が建物内部へ侵入することを防止する白蟻、黒蟻等の徘徊性害虫の防除装置に関するものである。
【背景技術】
【０００２】
一般に、白蟻等は外部の地面から建物の基礎づたいに土台、柱、大引、根太等の木材部分に侵入することが知られている。そこで、従来より白蟻等が建築物の基礎から木材部分に侵入するのを防止する方法が種々提案されている。例えば、特開２００６−２４１８８１号公報に開示されたものは、基礎の内側或いは外側に白蟻等が通過できない程度の粒子間の隙間のできる粒子層と仕切り部材を配置したものである。
【特許文献１】特開２００６−２４１８８１号公報
【発明の開示】
【発明が解決しようとする課題】
【０００３】
しかし、このような構成の従来の白蟻、黒蟻等の徘徊性害虫の防除装置にあっては、白蟻等が通過できない程度の粒子間の隙間のできる粒子層が長時間使用する間に、土埃や湿気の影響によって、容易に白蟻等が通過できるようになってしまと云う欠点が存在した。
【課題を解決するための手段】
【０００４】
前記目的を達成するために、請求項１に記載の発明は、建物の基礎等の垂直壁に設置する白蟻、黒蟻等の徘徊性害虫の防除装置であって、前記垂直壁に固定される表面が鏡面仕上げされた板状部と、前記板状部の下端に形成され、表面が鏡面仕上げされた湾曲部とから成ることを特徴としている。
【０００５】
また、請求項２に記載の発明において、前記湾曲部は、略Ｕ字状に形成されたことを特徴とするものである。
【０００６】
また、請求項３に記載の発明において、前記板状部は、円筒状に形成され、ジャッキ式束の周囲に形成されたことを特徴とするものである。
【発明の効果】
【０００７】
この発明は前記した構成からなるので、以下に説明するような効果を奏することができる。
【０００８】
本願発明では、建物の基礎等の垂直壁に設置する白蟻、黒蟻等の徘徊性害虫の防除装置であって、前記垂直壁に固定される表面が鏡面仕上げされた板状部と、前記板状部の下端に形成され、表面が鏡面仕上げされた湾曲部とから成るので、白蟻等は表面が鏡面仕上げされた板状部及び湾曲部によって、基礎から建物の建物内部へ侵入することができない。また、略Ｕ字状内部に侵入した白蟻等は、滑らかな表面仕上げのために略Ｕ字状内部から脱出できず、死に至り駆除される。
【発明を実施するための最良の形態】
【０００９】
本発明は、建物の基礎等の垂直壁に設置する白蟻、黒蟻等の徘徊性害虫の防除装置であって、垂直壁に固定される表面が鏡面仕上げされた板状部と、板状部の下端に形成され表面が鏡面仕上げされた湾曲部とからなるので、白蟻等が鏡面仕上げ部で滑って登ることができない。
【実施例１】
【００１０】
以下、一実施の形態を示す図面に基づいて本発明を詳細に説明する。図１は、本発明に係る白蟻、黒蟻等の徘徊性害虫の防除装置の使用態様を示す説明図、図２（ａ）は、同白蟻、黒蟻等の徘徊性害虫の防除装置の一実施例を示す全体斜視図である。ここで、白蟻、黒蟻等の徘徊性害虫の防除装置１０は、建物の基礎１１等の垂直壁１２に設置するものであって、前記垂直壁１２に固定される表面が鏡面仕上げされた板状部１３と、前記板状部の下端に形成され、表面が鏡面仕上げされた湾曲部１４とを有している。
【００１１】
板状部１３は、長尺部材からなり適宜位置の固定用のビス孔１５が形成されている。板状部１３は、例えば、ステンレス鋼板、または金属板、合成樹脂板等の表面が平滑なものが使用される。また、表面にメッキ、フッ素樹脂加工（テトラフルオロエチレン重合体）等を施したものでもよい。要するに、白蟻等が滑って歩けないような材料が用いられる。また、湾曲部１４は、板状部１３の幅方向の下端に延設されており、図１から明らかなように地面中に埋設して使用する。地面を潜って基礎方向へ侵入する白蟻等を阻止することができる。
【００１２】
図２（ｂ）は、本発明の白蟻、黒蟻等の徘徊性害虫の防除装置の他の実施例を示す全体斜視図である。本実施例において、白蟻、黒蟻等の徘徊性害虫の防除装置２０は、建物の基礎等の垂直壁１２に設置するものであって、前記垂直壁１２に固定される表面が鏡面仕上げされた板状部２１と、前記板状部２１の下端に形成され、表面が鏡面仕上げされた断面が略Ｕ字状に形成された湾曲部２２とから構成されている。また、湾曲部２２の縁部２３は、更に外側に開くように湾曲している。この湾曲した縁部２３によって白蟻等が登るのを阻止することができる。板状部２１には、第１の実施例と同様にビス孔１５が形成されている。
【００１３】
以上のように構成された、白蟻、黒蟻等の徘徊性害虫の防除装置２０は、図１に示すように布基礎の垂直壁１２の内側にビス止めされる。この際、湾曲部２２は、コンクリート面３４に一部埋設されるように設置する。尚、湾曲部２２内には、白蟻等の嫌いな忌避剤、或いは殺虫剤を入れても良い。湾曲した縁部２３は、コンクリート面３４より所定の距離だけ突出して設置する。この湾曲した縁部２３の裏面も鏡面処理をすれば、白蟻等が登ることができない。
【００１４】
図３は、本発明の白蟻、黒蟻等の徘徊性害虫の防除装置の他の実施例を示す説明図である。本実施例において、板状部３０は、略円筒状に形成され、ジャッキ式束３１の周囲に配置される。略円筒の板状部３０は、表面が鏡面仕上げされており、下端縁部３２が湾曲して鍔状又は、略Ｕ字状に拡開していてもよい。ジャッキ式束３１は、大引３３を下から支えており、床下のコンクリート面３４上に設置される。略円筒の板状部３０は、上端がやや先細に形成してもよい。
【００１５】
以上のように構成された白蟻、黒蟻等の徘徊性害虫の防除装置は、大引３３を下から支えるジャッキ式束３１の周囲に下端縁部３２がコンクリート面３４に埋没するように設置される。白蟻、黒蟻等の徘徊性害虫の防除装置は、ジャッキ式束３１を微調整した後、コンクリート用接着剤３５を使用して固定する。このようにジャッキ式束３１の周囲に設置した場合、白蟻等がジャッキ式束３１から大引３３等の木材部に侵入するのを阻止することができる。
【００１６】
図４は、本発明の白蟻、黒蟻等の徘徊性害虫の防除装置の別の実施例を示す説明図である。本実施例において、図１に示した場合とは逆に建物の基礎１１等の外側に白蟻、黒蟻等の徘徊性害虫の防除装置２０を設置し、内側に白蟻、黒蟻等の徘徊性害虫の防除装置１０を設置したものです。白蟻、黒蟻等の徘徊性害虫の防除装置２０は、建物の基礎等の垂直壁１２に設置するものであって、前記垂直壁１２に固定される表面が鏡面仕上げされた板状部２１と、前記板状部２１の下端に形成され、表面が鏡面仕上げされた断面が略Ｕ字状に形成された湾曲部２２とから構成されている。また、湾曲部２２の縁部２３は、更に外側に開くように湾曲している。この湾曲した縁部２３によって白蟻等が登るのを阻止することができる。板状部２１には、ビス孔１５が形成されている
【００１７】
白蟻、黒蟻等の徘徊性害虫の防除装置１０は、前述したように、前記垂直壁１２に固定される表面が鏡面仕上げされた板状部１３と、前記板状部の下端に形成され、表面が鏡面仕上げされた湾曲部１４とを有している。板状部１３は、長尺部材からなり適宜位置の固定用のビス孔１５が形成されている。板状部１３は、例えば、ステンレス鋼板、または金属板、合成樹脂板等の表面が平滑なものが使用される。また、表面にメッキ、フッ素樹脂加工（テトラフルオロエチレン重合体）等を施したものでもよい。要するに、白蟻等が滑って歩けないような材料が用いられる。また、湾曲部１４は、板状部１３の幅方向の下端に延設されており、図４から明らかなように地面中に埋設して使用し、地面を潜って基礎方向へ侵入する白蟻等を阻止することができる。
【００１８】
なお、本発明は上述の実施例に限定されることなく、特許請求の範囲の記載に基づいて種々の設計変更が可能である。
【図面の簡単な説明】
【００１９】
【図１】図１は、本発明に係る白蟻、黒蟻等の徘徊性害虫の防除装置の使用態様を示す説明図である。
【図２】図２（ａ）は、同白蟻、黒蟻等の徘徊性害虫の防除装置の一実施例を示す全体斜視図、（ｂ）は、同白蟻、黒蟻等の徘徊性害虫の防除装置の他の実施例を示す全体斜視図である。
【図３】図３は、同白蟻、黒蟻等の徘徊性害虫の防除装置の他の実施例を示す説明図である。
【図４】図４は、同白蟻、黒蟻等の徘徊性害虫の防除装置の別の実施例を示す説明図である。
【符号の説明】
【００２０】
１０、２０  白蟻、黒蟻等の徘徊性害虫の防除装置
１１      基礎
１２      垂直壁
１３      板状部
１４      湾曲部
１５      ビス孔
２１      板状部
２２      湾曲部
２３      縁部
３０      円筒の板状部
３１      ジャッキ式束
３２      下端縁部
３３      ジャッキ式束
３４      コンクリート面
【図１】
2009133098.tif 000003
【図２】
2009133098.tif 000004
【図３】
2009133098.tif 000005
【図４】
2009133098.tif 000006
【手続補正書】
【提出日】平成20年3月10日(2008.3.10)
【手続補正１】
【補正対象書類名】明細書
【補正対象項目名】００２０
【補正方法】変更
【補正の内容】
【００２０】
１０、２０  白蟻、黒蟻等の徘徊性害虫の防除装置
１１      基礎
１２      垂直壁
１３      板状部
１４      湾曲部
１５      ビス孔
２１      板状部
２２      湾曲部
２３      縁部
３０      円筒の板状部
３１      ジャッキ式束
３２      下端縁部
３３      ジャッキ式束
３４      コンクリート面
３５      コンクリート用接着剤